(57)【特許請求の範囲】
【請求項１】
カメラ本体に形成されたレンズ鏡胴受け座に撮影レンズ鏡胴の後端部を着脱自在に装着する撮影レンズのマウント構造において、
撮影レンズ鏡胴の後端部周面に設けられた爪と、
前記爪の形状に対応した切欠部が形成されるとともに、前記カメラ本体に螺合され、前記切欠部に沿って挿入された前記撮影レンズ鏡胴の爪をねじの作用によって固定し又はその固定を解除するマウントリングと、
前記マウントリングの外周面に設けられ、該マウントリングの径方向に昇降自在に支持されたストッパー部材と、
前記撮影レンズ鏡胴の外周面に形成された溝であって、前記マウントリングが前記爪を固定する固定位置に位置した状態で前記ストッパー部材の下方に設けられ、前記固定位置で前記ストッパー部材を前記マウントリングの径方向内側に向かって下降させた際に該ストッパー部材の先端部が嵌合し、前記マウントリングの周方向の回転を阻止する断面凹形状の溝とを備え、
前記ストッパー部材の軸は、前記マウントリングの周面に形成されたねじ孔に螺合連結され、前記ストッパー部材をねじ込むことで該ストッパー部材の先端部が前記溝に嵌合するとともに、前記ストッパー部材の先端面が前記溝の底面に当接して撮影レンズ鏡胴を径方向外側から締めつけ、前記マウントリングの周方向の回転を阻止することを特徴とする撮影レンズのマウント構造。
【請求項２】
前記ストッパー部材は、マウントリングを周方向に回転させるための回転操作部材と共用されることを特徴とする請求項１の撮影レンズのマウント構造。
【発明の詳細な説明】
【０００１】
【発明の属する技術分野】
本発明は撮影レンズのマウント構造に係り、特に撮影レンズ鏡胴の後端部に形成されたバヨネット爪をカメラ本体のレンズ鏡胴受け座に着座させた後、マウントリングのねじ作用により挟み込んで固定する撮影レンズのマウント構造に関する。
【０００２】
【従来の技術】
撮影レンズをカメラ本体に着脱自在に装着するマウント構造の一つとして、バヨネットマウント構造が知られている。このマウント構造は、撮影レンズ側に３又は４個の爪が形成され、カメラ側のレンズ鏡胴受け座に前記爪に対応した切欠部を有したマウントリングが螺合連結されて成る。撮影レンズの爪を前記切欠部に合わせてカメラ本体のレンズ鏡胴受け座に着座させた後、前記マウントリングを回して、ねじの作用によって撮影レンズの爪を前記レンズ鏡胴受け座とマウントリングとで挟み込むことで撮影レンズがカメラ本体に装着される。
【０００３】
【発明が解決しようとする課題】
しかしながら、上記従来のマウント構造では、マウントリングの回り止め手段が設けられていないため撮影レンズ装着後にマウントリングが緩む場合があり、撮影レンズの落下という事態を招くおそれがある。
本発明はこのような事情に鑑みてなされたもので、簡単な構成でマウントリングの緩みを防止することができる撮影レンズのマウント構造を提供することを目的とする。
【０００４】
【課題を解決するための手段】
本発明は前記目的を達成する為に、カメラ本体に形成されたレンズ鏡胴受け座に撮影レンズ鏡胴の後端部を着脱自在に装着する撮影レンズのマウント構造において、撮影レンズ鏡胴の後端部周面に設けられた爪と、前記爪の形状に対応した切欠部が形成されるとともに、前記カメラ本体に螺合され、前記切欠部に沿って挿入された前記撮影レンズ鏡胴の爪をねじの作用によって固定し又はその固定を解除するマウントリングと、前記マウントリングの外周面に設けられ、該マウントリングの径方向に昇降自在に支持されたストッパー部材と、前記撮影レンズ鏡胴の外周面に形成された溝であって、前記マウントリングが前記爪を固定する固定位置に位置した状態で前記ストッパー部材の下方に設けられ、前記固定位置で前記ストッパー部材を前記マウントリングの径方向内側に向かって下降させた際に該ストッパー部材の先端部が嵌合し、前記マウントリングの周方向の回転を阻止する断面凹形状の溝とを備え、前記ストッパー部材の軸は、前記マウントリングの周面に形成されたねじ孔に螺合連結され、前記ストッパー部材をねじ込むことで該ストッパー部材の先端部が前記溝に嵌合するとともに、前記ストッパー部材の先端面が前記溝の底面に当接して撮影レンズ鏡胴を径方向外側から締めつけ、前記マウントリングの周方向の回転を阻止することを特徴としている。
【０００５】
本発明によれば、撮影レンズ鏡胴をカメラ本体に装着する際に、ストッパー部材の先端部をマウントリングの内側から突出しないように退避させておき、撮影レンズ鏡胴の爪をマウントリングの切欠部に合わせて挿入し、撮影レンズをレンズ鏡胴受け座に着座させる。そして、マウントリングを周方向に回すことにより、マウントリングの内面とレンズ鏡胴受け座との間に挟まれた前記爪がマウントリングのねじの作用によって締めつけられ固定される。
【０００６】
前記マウントリングを固定位置に回した後、ストッパー部材をマウントリングの径方向内側に下降させ、ストッパー部材の先端部をレンズ鏡胴の溝に嵌合させる。この状態では、マウントリングは前記溝の大きさの範囲で周方向の動きが規制され、マウントリングの自由な回転が阻止される。これにより、マウントリングの緩みを防止できる。
【０００７】
また、ストッパー部材をマウントリングに螺合連結し、該ストッパー部材をねじ込むことでストッパー部材の先端部が前記溝に嵌合するように構成するとともに、このねじ込みによってストッパー部材の先端面を前記溝の底面に当接させて撮影レンズ鏡胴を径方向外側から押さえつければ、マウントリングの周方向の回転阻止を強化できる。かかる構成により、マウントリングの緩みを有効に防止できる。
【０００８】
更に、前記ストッパー部材を、マウントリングを周方向に回転させるための回転操作部材と共用することにより、構成の簡略化を図ることができる。
【０００９】
【発明の実施の形態】
以下添付図面に従って本発明に係る撮影レンズのマウント構造の実施の形態について詳説する。
図１は、本発明に係る撮影レンズのマウント構造が適用される放送用カメラの先端部の側面断面図、図２は正面図である。尚、図２中カメラハウジングは省略されている。
【００１０】
図１に示すように、カメラハウジング１２の先端部には、レンズ鏡胴受け座１４、及びマウントリング１６が設けられている。マウントリング１６はレンズ鏡胴受け座１４の外周に形成されたねじ部１５に螺合連結されており、前記レンズ鏡胴受け座１４に図示せぬ撮影レンズ鏡胴の後端部を嵌入した後、マウントリング１６を約１／６回転（６０度）回すことにより、前記撮影レンズ鏡胴がカメラ本体に着脱自在に装着される。
【００１１】
レンズ鏡胴受け座１４の後端には、防塵を兼ねた赤外カット（ＩＲ）フィルター１８（又はローパスフィルター）が保持されるとともに、前記レンズ鏡胴受け座１４の後方には、色分解プリズム２０を支持する支持台（不図示）が形成されたプリズムハウジング２２が前記レンズ鏡胴受け座１４に密着して配置される。
プリズムハウジング２２の内側には、光量補正（ＮＤ）フィルター２４及び色温度変換（ＣＣ）フィルター２６を保持したフィルター保持枠２８がピン３０を介して回動自在に設けられている。フィルター保持部材２８の中心軸部にはギア３２が形成され、該ギア３２は、連結ギア３４を介してフィルター切替ツマミ３６の軸に固着されたギヤ３８に連結されている。
【００１２】
前記フィルター切替ツマミ３６を回転操作すると、該ツマミの軸端に固着されたギア３８が回転し、その回転力が連結ギア３４を介してフィルター保持部材２８に伝達され、フィルター保持部材２８がピン３０を中心に回動する。この回動によって色分解プリズム２０の手前に配置される光学フィルターを変更できるようになっている。
【００１３】
ＮＤフィルター２４及びＣＣフィルター２６を保持したフィルター保持部材２８の後方は防塵カバー４０（マスク兼用防塵カバー）で包囲され、前記ＮＤフィルター２４等の光学フィルターに塵埃が付着するのを防止している。この防塵カバー４０には色分解プリズム２０へ進入する光の範囲を規制する開口部４２が形成され、該開口部４２の内周面は防塵カバー４０の肉厚方向に対して、光の進入面側から出射面側に向かって開口面積が広がるように傾斜面が形成される。
【００１４】
また、この防塵カバー４０の全体は黒アルマイト処理されており、かかる構成により、正規の光路以外の光路で進入する光（不要光）を除去し、ゴースト、フレアの発生を防止している。尚、本実施の形態では、不要光遮断用のマスクを防塵カバーと一体化しているが、これに限らず、防塵カバーと別体に形成したマスク部材を防塵カバーの開口部に接着させてもよい。
【００１５】
防塵カバー４０の後方には、ゴム枠（又はスポンジ枠）４４を介して色分解プリズム２０が配置される。前記ゴム枠４４が防塵カバー４０と色分解プリズム２０の入射面との間に密着して配設されることにより、色分解プリズム２０の入射面への塵埃の混入が防止されている。
色分解プリズム２０は３つのプリズム、即ち、光の入射側から第１、第２、第３プリズムから構成される。第１プリズム５１の光束出射面には、青色（ＢＬＵＥ）成分のみを反射するダイクロイックコートが施され、第２プリズム５２の光束出射面には赤色（ＲＥＤ）成分のみを反射するダイクロイックコートが施されている。
【００１６】
色分解プリズム２０に入射した光束のうち、第１プリズム５１の光束出射面でＢＬＵＥ成分が反射され、このＢＬＵＥ成分反射光は第１プリズム５１のＢＬＵＥチャンネル出射面から出射され青色トリミングフィルタ５５を透過してＢＬＵＥ成分以外の色要素を除去された後、図示しないＣＣＤ上に結像される。
ＢＬＵＥ成分以外の残りの光束は、第１プリズム５１を通過して第２プリズム５２に入射し、第２プリズム５２の光束出射面のダイクロイックコートによってＲＥＤ成分のみが反射される。このＲＥＤ反射光は、第２プリズム５２の入射面で全反射され、第２プリズム５２のＲＥＤチャンネルの出射面から出射し、赤トリミングフィルタ５６を透過してＲＥＤ成分以外の色要素が除去された後、図示しないＣＣＤ上に結像する。
【００１７】
残る緑色（ＧＲＥＥＮ）成分は、第３プリズム５３のＧＲＥＥＮチャンネルの出射面から出射し、緑トリミングフィルタ５７を透過してＧＲＥＥＮ成分以外の色要素が除去された後、図示しないＣＣＤ上に結像する。
続いて、撮影レンズのマウント構造について説明する。
図２に示されているように、レンズ鏡胴受け座１４の上部中央には、後述する回転止めのピン７２が挿入されるガイド穴１７が形成され、該レンズ鏡胴受け座１４の外側に設けられたマウントリング１６の前面には後述するバヨネットリング７４の爪の形状に対応した切欠部１９が形成されている。
【００１８】
また、前記マウントリング１６の周面にはストッパー部材を兼ねた回転レバー６０が設けられている。回転レバー６０の軸は、マウントリング１６の側面に径方向に形成されたねじ孔６２に螺合され、このねじの作用によってマウントリング１６の径方向に昇降可能に設けられている（図３参照）。
マウントリング１６のねじ孔６２の上部（外周面側）は、ねじ径よりも大きい径の座グリ部６３（ねじ山の形成されていない部分）が形成されている。この座グリ部６３とねじ部の境界の段差に回転レバー６０の軸の段差部６１が当接することで、回転レバー６０の締め込み終端が規制される。
【００１９】
回転レバー６０は、マウントリング１６を周方向に回転させる操作ツマミとしての役割を果たすとともに、後述するストッパー溝７６に嵌合してマウントリング１６の緩み防止用のストッパー部材の役割を果たしている（図４、図６参照）。
図４は、撮影レンズ鏡胴の外観斜視図である。撮影レンズ鏡胴７０の後端部には、回転止めピン７２、バヨネットリング（爪）７４、及びストッパー溝７６が設けられている。前記回転止めピン７２は、カメラ側のレンズ鏡胴受け座１４に形成されたガイド穴１７に嵌合され、撮影レンズ鏡胴７０の周方向の回転が防止される。
【００２０】
バヨネットリング７４は、撮影レンズ鏡胴７０の周面に沿って１２０度毎の間隔で３つの爪が形成されている（図３参照）。
ストッパー溝７６は、前記バヨネットリング７４よりも前方に設けられ、前記マウントリング１６によって撮影レンズ鏡胴７０が固定された際に前記回転レバー６０が位置する位置に形成されている。即ち、マウントリング１６が前記バヨネットリング７４を固定する固定位置に回動した時に、回転レバー６０の真下にストッパー溝７６が存在するようになっている。
【００２１】
そして、前記バヨネットリング７４がマウントリング１６によって固定された状態で前記回転レバー６０がマウントリング１６の径方向内側に向かってねじ込まれることにより、回転レバー６０の先端部がストッパー溝７６に進入する。前記ストッパー溝７６は、マウントリング１６の固定位置の許容範囲に応じて、回転レバー６０の先端部の径よりもやや大きめに形成される。
【００２２】
次に、上記の如く構成された撮影レンズのマウント構造の作用について説明する。
撮影レンズ鏡胴７０をカメラ本体に装着する場合には、先ず、レンズ鏡胴受け座１４に設けられたガイド穴１７とマウントリング１６の切欠部１９の配置関係が、撮影レンズ鏡胴７０の回転止めピン７２とバヨネットリング７４の爪の配置関係と一致するように、回転レバー６０をマウントリング１６の周方向に操作して、マウントリング１６を装着準備位置に位置させる（図３）。
【００２３】
そして、撮影レンズ鏡胴７０の後端に形成された回転止めピン７２をレンズ鏡胴受け座１４のガイド穴１７に挿入するとともに、バネヨットリング７４の爪をマウントリング１６の切欠部１９に合わせて挿入し、撮影レンズ鏡胴７０をレンズ鏡胴受け座１４に着座させる。
このとき、回転レバー６０の先端部が撮影レンズ鏡胴７０の周面に接触しないように、回転レバー６０をマウントリング１６の径方向上方に退避させておき、回転レバー６０の先端部がマウントリング１６の内側から突出しないようにしておく。
【００２４】
撮影レンズ鏡胴７０をレンズ鏡胴受け座１４に着座させた後、回転レバー６０を持ってマウントリング１６を右ねじ回転方向に約６０度回す。図５には、マウントリング１６を６０度回転させた状態の要部断面が示されている。マウントリング１６はレンズ鏡胴受け座１４にねじ部１５を介して螺合されているので、該マウントリング１６が右ねじ方向に回転するとねじの作用によってバヨネットリング７４がレンズ鏡胴受け座１４の端面とマウントリング１６の内側の端面との間に挟み込まれ、撮影レンズ鏡胴７０はカメラ本体に固定される。
【００２５】
次いで、回転レバー６０を軸中心に右ねじ回転方向に回してねじ込むことにより、回転レバー６０がマウントリング１６の径方向内側に向かって下降する。そして、図６に示すように回転レバー６０の先端部は撮影レンズ鏡胴７０のストッパー溝７６に嵌入し、該回転レバー６０の先端面がストッパー溝７６の底面に当接する。こうして、回転レバー６０は撮影レンズ鏡胴７０を径方向外側から締めつけ、前記マウントリング１６の周方向の回転が阻止される。また、図７に示すように、マウントリング１６は前記ストッパー溝７６の大きさ（Ｗ）の範囲で周方向の動きが規制され、マウントリング１６の自由な回転が阻止される。これにより、マウントリング１６の緩みを防止できる。
【００２６】
尚、装着した撮影レンズ鏡胴７０をカメラ本体から外す場合には、上述の装着手順と逆の手順を行う。即ち、回転レバー６０を緩めて、ストッパー溝７６から退避させ、マウントリング１６を緩める方向に６０度回す。そして、バネヨットリング７４の爪とマウントリング１６の切欠部１９とを合わせて、撮影レンズ鏡胴７０をレンズ鏡胴受け座１４から離脱させる。
【００２７】
上記実施の形態では、本発明を放送用カメラに適用した場合を例に説明したが、これに限らず、ビデオカメラ、写真用カメラ等にも適用することができる。
【００２８】
【発明の効果】
以上説明したように、本発明に係る撮影レンズのマウント構造によれば、マウントリングの外周面に径方向に昇降可能なストッパー部材を設け、マウントリングを固定位置に回した後、ストッパー部材をマウントリングの径方向内側に向けて下降させ、ストッパー部材の先端部を撮影レンズ鏡胴の溝に嵌合させるようにしたので、マウントリングの自由な回転を阻止できる。これにより、マウントリングの緩みを防止でき、撮影レンズの落下等の事故を防ぐことができる。
【００２９】
また、本発明の他の態様によれば、ストッパー部材をマウントリングに螺合連結し、該ストッパー部材をねじ込むことでストッパー部材の先端部が前記溝に嵌合するように構成するとともに、このねじ込みによってストッパー部材の先端面を前記溝の底面に当接させて撮影レンズ鏡胴を径方向外側から押さえつけれるように構成したので、マウントリングの緩みを一層効果的に防止できる。
【００３０】
更に、ストッパー部材をマウントリングの回転操作部材と共用することにより、構成の簡略化を図ることができ、設計、製造も容易である。
【図面の簡単な説明】
【図１】本発明に係る撮影レンズのマウント構造が適用される放送用カメラの先端部の側面断面図
【図２】図１に示した放送用カメラの先端部の正面図
【図３】マウントリングの構成を示す一部断面を含む要部正面図
【図４】撮影レンズ鏡胴の外観斜視図
【図５】撮影レンズのマウント構造の作用を説明するために用いた要部側面断面図
【図６】撮影レンズのマウント構造の作用を説明するために用いた要部側面断面図
【図７】撮影レンズのマウント構造の作用を説明するために用いた要部正面断面図
【符号の説明】
１４…レンズ鏡胴受け座
１５…ねじ部
１６…マウントリング
１９…切欠部
２０…色分解プリズム
２２…プリズムハウジング
６０…回転レバー（ストッパー部材）
６２…ねじ孔
７０…撮影レンズ鏡胴
７４…バヨネットリング（爪）
７６…ストッパー溝
【図１】
0003735790.tif 000002
【図２】
0003735790.tif 000003
【図３】
0003735790.tif 000004
【図４】
0003735790.tif 000005
【図５】
0003735790.tif 000006
【図６】
0003735790.tif 000007
【図７】
0003735790.tif 000008